(57)【要約】【課題】被計測物の表面に沿って物差しを固定して、容易に計測することができる物差しを提供する。【解決手段】ものの長さを差しはかる道具である長尺形状の物差しであって、表面に目盛りが設けられた本体部と、前記本体部の裏面に磁力を有する磁石部材とを有し、前記磁石部材は、前記本体部の長手方向全長に亘って連続して又は不連続に設けられた、ことを特徴とする。【選択図】図１
0003215822.tif 000002
【実用新案登録請求の範囲】
【請求項１】
ものの長さを差しはかる道具である長尺形状の物差しであって、
表面に目盛りが設けられた本体部と、
前記本体部の裏面に磁力を有する磁石部材と
を有し、
前記磁石部材は、前記本体部の長手方向全長に亘って連続して又は不連続に設けられた、ことを特徴とする物差し。
【請求項２】
ものの長さを差しはかる道具である長尺形状の物差しであって、
表面に目盛りが設けられた本体部と、
前記本体部の裏面に磁力を有する磁石部材と
を有し、
前記磁石部材は、前記本体部の長手方向であって１００ｍｍまたは２００ｍｍ間隔で平板形状の磁石を複数配置した、ことを特徴とする物差し。
【請求項３】
請求項１または請求項２に記載の物差しを含む計測器。
【考案の詳細な説明】
【技術分野】
【０００１】
本考案は、ものの長さを差しはかる道具である長尺形状の物差しに関する。また、本考案は、その物差しを含む計測器に関するものであってもよい。
【背景技術】
【０００２】
ものの長さを差しはかるために、長さの単位の目盛を付けた道具（物差し、計測器など）がある。特許文献１では、上面に長さを示す目盛りが設けられる物差しであって、その下面に滑り止め部材が設けられ、滑り止め部材は、物差しの下面において２つの長辺のうちの一方の長辺寄りの領域に長手方向全長に亘って連続して又は不連続に設けられ、物差しを机上の紙に載せた状態で、それを片手で上から押さえつければ、滑り止め部材が紙上で滑りにくくなる技術を開示している。特許文献２では、所定の長さを有する細長板状の金属からなり、一端部近傍に貫通孔が形成されて表面に目盛りが設けられた物差本体と、金属からなり、その一端部近傍の裏面に前記物差本体の貫通孔に嵌合する管状の係止部が突設され、他端部が前記物差本体の一端部から所定距離離れた部位に弾性的に当接されるクリップと、を備え、前記クリップは、前記物差本体の貫通孔に嵌合した係止部の先端が押しつぶされて物差本体に取り付けられたことを特徴とするクリップ付き物差しに関する技術を開示している。
【先行技術文献】
【特許文献】
【０００３】
【特許文献１】登録実用新案第３１８８７９１号公報
【特許文献２】特開２００６−２９２６０５号公報
【考案の概要】
【考案が解決しようとする課題】
【０００４】
しかしながら、特許文献１および特許文献２に開示されている技術では、被計測物が大きいまたは長い場合に、被計測物の表面に沿って、物差しを配置し難い場合がある。また、被計測物が大きいまたは長い場合でも、被計測物の表面に沿って、物差しを固定して、一人でも計測し易い物差しが求められている。
【０００５】
本考案は、被計測物の表面に沿って物差しを固定して、容易に計測することができる物差しを提供することを目的とする。また、本考案は、被計測物の表面に沿って物差しを固定して、容易に計測することができる物差しを含む計測器に関するものであってもよい。
【課題を解決するための手段】
【０００６】
上記課題を解決するために、本考案の一つの実施形態は、ものの長さを差しはかる道具である長尺形状の物差しであって、表面に目盛りが設けられた本体部と、前記本体部の裏面に磁力を有する磁石部材とを有し、前記磁石部材は、前記本体部の長手方向全長に亘って連続して又は不連続に設けられた、ことを特徴とする物差しを提供する。
【０００７】
本考案の他の実施形態は、ものの長さを差しはかる道具である長尺形状の物差しであって、表面に目盛りが設けられた本体部と、前記本体部の裏面に磁力を有する磁石部材とを有し、前記磁石部材は、前記本体部の長手方向であって１００ｍｍまたは２００ｍｍ間隔で平板形状の磁石を複数配置した、ことを特徴とする物差しであってもよい。
【０００８】
本考案の他の実施形態は、上記のいずれか１つの物差しを含む計測器であってもよい。
【考案の効果】
【０００９】
本考案に係る物差しによれば、被計測物の表面に沿って物差しを固定して、容易に計測することができる。また、本考案に係る計測器によれば、被計測物の表面に沿って物差しを固定して、容易に計測することができる。
【図面の簡単な説明】
【００１０】
【図１】本考案の実施形態に係る物差しの一例を説明する説明図である。
【図２】本考案の実施形態に係る物差しの一例を説明する側面図である。
【図３】本考案の実施形態に係る物差しの使用時の一例を示す説明図である。
【図４】本考案の実施形態に係る計測器の一例を説明する説明図である。
【考案を実施するための形態】
【００１１】
実施形態に係る物差しおよび計測器の例を用いて、本考案を説明する。なお、本考案は、以後に説明する物差しおよび計測器以外でも、ものの長さをはかる道具（もの、部品、装置、システムなど）であれば、いずれのものにも用いることができる。なお、物差しおよび計測器の素材、色は、特に限定されない。物差しおよび計測器の色は、透明、半透明、色付きのものであってもよい。物差しおよび計測器の色は、例えば使用者（消費者）の趣味趣向に合わせた柄のものであってもよい。
【００１２】
以後に、本考案を説明する。
【００１３】
図１乃至図４を用いて、本考案の実施形態に係る物差しを説明する。ここで、図１（ａ）は、本考案の実施形態に係る物差し１００の一例を説明する平面図である。図１（ｂ）は、本考案の実施形態に係る物差し１００の例（第１の磁石部材）を説明する底面図である。図１（ｃ）は、本考案の実施形態に係る物差し１００の例（第２の磁石部材）を説明する底面図である。図２（ａ）は、本考案の実施形態に係る物差し１００の一例を説明する側面図である。図２（ｂ）は、本考案の実施形態に係る物差し１００の例（第１の磁石部材）を説明する側面図である。図２（ｃ）は、本考案の実施形態に係る物差し１００の例（第２の磁石部材）を説明する側面図である。図３（ａ）は、本考案の実施形態に係る物差し１００の使用時の一例を示す説明図である。図３（ｂ）は、本考案の実施形態に係る物差し１００の使用時の一例を示す説明図である。図３（ｃ）は、本考案の実施形態に係る物差し１００の使用時の一例を示す説明図である。図４は、本考案の実施形態に係る物差しを含む計測器の一例（巻尺）を示す説明図である。なお、図１等に示す物差しの構成等は一例であり、本考案は図１等に示す物差し等に限定されるものではない。
【００１４】
本考案に係る物差しは、ものの長さを差しはかるための長尺形状の道具である。図１（ａ）に示すように、本考案に係る物差し１００は、表面に目盛りが設けられ、使用者が被計測物の表面に沿って、物差し（目盛り）を配置して、使用される。本考案に係る物差しは、長尺形状の長手方向（目盛り）の長さは特に限定されない。本考案に係る物差しは、長尺形状の長手方向（目盛り）の長さとして、例えば１ｍ〜１０ｍのものであってもよい。また、本考案に係る物差しは、短手方向および厚さ方向の大きさは特に限定されない。
【００１５】
図１（ａ）および図１（ｂ）並びに図２（ａ）および図２（ｂ）に示すように、本考案に係る物差し１００は、表面に目盛りが設けられた本体部１０と、本体部１０の裏面に磁力を有する磁石部材（第１の磁石部材）１１とを有する。ここで、磁石部材１１は、本実施形態では、本体部１０の長手方向全長に亘って連続して設けられている。なお、磁石部材１１は、本体部１０の長手方向全長に亘って不連続して設けられてもよい。
【００１６】
図１（ａ）および図１（ｃ）並びに図２（ａ）および図２（ｃ）に示すように、本考案に係る他の例の物差し１００は、表面に目盛りが設けられた本体部１０と、本体部１０の裏面に磁力を有する磁石部材（第２の磁石部材）１２とを有する。ここで、磁石部材１２は、本実施形態では、本体部１０の長手方向であって１００ｍｍ間隔で平板形状の磁石を複数備える。なお、磁石の形状は、特に限定されない。磁石の形状は、実験または計算で予め定められる形状とすることができる。また、磁石部材１２は、１００ｍｍ未満または１００ｍｍ以上の間隔で磁石を複数備えてもよい。磁石部材１２は、２００ｍｍ間隔で磁石を複数備えてもよい。
【００１７】
図３（ａ）乃至（ｃ）に示すように、本考案に係る物差しによれば、被計測物の表面に沿って物差しを固定して、容易に計測することができる。本考案に係る物差しによれば、被計測物が大きいまたは長い場合でも、磁石部材（第１の磁石部材または第２の磁石部材）の磁力を用いて、被計測物（鉄の物体）の表面に固定（吸着）して、容易に計測することができる。
【００１８】
また、本考案に係る物差しによれば、鉄筋定着計測メジャーとして利用することができ、建設現場などで、一人で写真を撮るときに重宝する。すなわち、本考案に係る物差しによれば、被計測物が比較的大きい場合でも、磁石部材（第１の磁石部材または第２の磁石部材）の磁力を用いて、被計測物（鉄の物体）の表面に固定（吸着）することができるので、容易に一人で計測することができる。
【００１９】
図４に、本考案に係る物差しを含む計測器１００Ｍの例を示す。本考案は、上記の物差しを含む機器であってもよい。本考案に係る計測器によれば、被計測物が大きいまたは長い場合でも、磁石部材（第１の磁石部材または第２の磁石部材）の磁力を用いて、被計測物（鉄の物体）の表面に固定（吸着）して、容易に計測することができる。
【００２０】
以上のとおり、本考案に係る物差しによれば、被計測物の表面に沿って物差しを固定して、容易に計測することができる。また、本考案に係る物差しを含む計測器によれば、被計測物の表面に沿って物差しを固定して、容易に計測することができる。
【００２１】
以上のとおり、本考案に係る実施形態について説明したが、本考案は上記の実施形態に
限定されるものではない。すなわち、本考案は、実用新案登録請求の範囲に記載の内容に
基づいて、様々に変形、変更又はその他任意に改変され得る。
【符号の説明】
【００２２】
１００  ：  物差し
１００Ｍ：  計測器
１０  ：  本体部
１１  ：  第１の磁石部材
１２  ：  第２の磁石部材
【図１】
0003215822.tif 000003
【図２】
0003215822.tif 000004
【図３】
0003215822.tif 000005
【図４】
0003215822.tif 000006